(57)【要約】【課題】ナースステーション内にいる看護師の業務を支援することのできる生体情報監視装置および看護支援プログラムを提供すること。【解決手段】生体情報監視装置は、複数の生体情報モニタにより測定された複数の患者の生体情報を表示するための表示部と、各患者ごとに、患者を特定するための個人情報と、患者のグループを特定するためのグループ特定情報とを対応付けて記憶するためのハードディスクとを備える。生体情報監視装置は、監視画面において、グループ特定情報に基づき特定される各患者のグループを識別可能にした状態で、複数の患者についての生体情報を同時に表示する。たとえば、領域６１の色を、患者のグループごと変えて表示する。【選択図】図４
2011078640.tif 000002
【特許請求の範囲】
【請求項１】
複数の生体情報モニタと接続され、前記複数の生体情報モニタそれぞれにて測定された複数の患者の生体情報を監視するための生体情報監視装置であって、
前記複数の生体情報モニタにより測定された前記複数の患者の生体情報を表示するための表示手段と、
各前記患者ごとに、前記患者を特定するための個人情報と、前記患者のグループを特定するためのグループ特定情報とを対応付けて記憶するための記憶手段と、
前記表示手段を制御するための制御手段とを備え、
前記制御手段は、監視画面において、前記グループ特定情報に基づき特定される各前記患者のグループを識別可能にした状態で、前記複数の患者についての生体情報を同時に表示する、生体情報監視装置。
【請求項２】
前記記憶手段は、前記複数の患者のうちの少なくとも一人の患者についての第１のコメントをさらに記憶し、
前記制御手段は、前記監視画面において、前記複数の患者についての生体情報とともに前記第１のコメントを表示する、請求項１に記載の生体情報監視装置。
【請求項３】
前記制御手段は、前記監視画面における、前記少なくとも一人の患者の生体情報の表示領域に、前記第１のコメントが登録されていることを示す所定のマークを表示し、かつ、前記所定のマークが選択された場合に、前記監視画面上に前記第１のコメントを表示する、請求項２に記載の生体情報監視装置。
【請求項４】
前記制御手段は、前記第１のコメントを表示してから一定時間経過したと判断した場合に、前記第１のコメントの表示を消去する、請求項２または３に記載の生体情報監視装置。
【請求項５】
前記測定された生体情報の変化に応じて、警報を発生するための手段をさらに備え、
前記制御手段は、前記複数の患者のうち、前記警報の発生に起因した患者についての前記第１のコメントを、前記監視画面に表示する、請求項２または３に記載の生体情報監視装置。
【請求項６】
前記制御手段は、少なくとも看護チームによる分類を含む、予め定められた複数種類の分類のうち、前記グループ特定情報による患者のグループ分けに用いる分類の選択を受付ける、請求項１に記載の生体情報監視装置。
【請求項７】
前記複数種類の分類は、さらに、患者の属性による分類、および、患者の病態による分類のうちの少なくともいずれかを含む、請求項６に記載の生体情報監視装置。
【請求項８】
前記制御手段は、
さらに、前記監視画面における、前記患者ごとの表示エリア内に表示された複数種類の生体情報のうちの１つが指定された場合に、前記指定された生体情報についての第２のコメントの入力を受付け、かつ、前記第２のコメントが入力された場合には、前記指定された生体情報に関連する位置に、特定のマークを表示し、
ユーザにより前記特定のマークが指示された場合に、前記第２のコメントを前記監視画面上に表示する、請求項２に記載の生体情報監視装置。
【請求項９】
制御部と記憶部と表示部とを備えた、複数の患者の生体情報を監視するための生体情報監視装置において、前記複数の患者の看護を支援するための実行されるプログラムであって、前記記憶部は、各前記患者ごとに、前記患者を特定するための個人情報と、前記患者のグループを特定するためのグループ特定情報とを対応付けて記憶しており、
前記制御部が、監視画面の表示の指示を受付けるステップと、
前記制御部が、前記指示が受付けられた場合に、前記監視画面において、前記グループ特定情報に基づき特定される各前記患者のグループを識別可能にした状態で、前記複数の患者についての生体情報を、前記表示部に表示するステップとを含む、看護支援プログラム。
【発明の詳細な説明】
【技術分野】
【０００１】
本発明は、生体情報監視装置および看護支援プログラムに関し、特に、複数の患者の生体情報を監視するための生体情報監視装置、および、このような生体情報監視装置において実行される看護支援プログラムに関する。
【背景技術】
【０００２】
従来より、ナースステーションにて複数の患者の生体情報を監視する装置すなわち、セントラルモニタにおいて、看護を支援するための提案がなされている。
【０００３】
たとえば特許文献１では、セントラルモニタで警報が発生した場合に、警報の内容を音声に変換し、その音声に変換した内容を無線通信機から看護従事者が携帯する通信端末に送信することが開示されている。このようにすることで、看護従事者は、警報の内容を各にするためにナースステーション等の警報情報表示装置が設置してある場所までいく必要がなくなるため、看護を効率的に行なうことができる。
【先行技術文献】
【特許文献】
【０００４】
【特許文献１】特開２００４−５３４１号公報
【発明の概要】
【発明が解決しようとする課題】
【０００５】
一般的に、病棟の看護師はチームを分け、受け持ちの患者の看護にあたる体制をとっている。しかし、従来のセントラルモニタでは、看護師は、表示される患者の名前によって自分の受け持ちの患者を確認するしかなく、どの患者がどのチームの受け持ちなのか認識することができなかった。
【０００６】
また、夜勤などの看護師の数が少なくなる時間帯などにおいては、看護師は、他のチームの患者を看護する必要が生じる場合がある。そのような場合、従来のセントラルモニタでは、看護師は、モニタリング（監視）しているどの患者を引き継いだのか、または、患者毎にどのようなことに注意すべきか、といった情報がセントラルモニタだけでは分からなかった。そのため、突然の警報時に患者に対する処置等が遅れる恐れがあった。
【０００７】
従来から、患者毎に注意すべき事項を示すコメントを入力する機能を持ったセントラルモニタも存在するが、通常のモニタ画面から画面を切替えないと見る事ができない。そのため、忙しい看護業務の中で、コメントの入力および表示は、あまり使用されない機能となっている。
【０００８】
上記特許文献１は、警報が発生した場合に、ナースステーション外にいる看護師の業務を支援することはできるが、ナースステーションにいる看護師の業務を支援する提案はなされていない。
【０００９】
本発明は、上記のような問題を解決するためになされたものであって、その目的は、ナースステーション内にいる看護師の業務を支援することのできる生体情報監視装置および看護支援プログラムを提供することである。
【課題を解決するための手段】
【００１０】
この発明のある局面に従う生体情報監視装置は、複数の生体情報モニタと接続され、複数の生体情報モニタそれぞれにて測定された複数の患者の生体情報を監視するための生体情報監視装置であって、複数の生体情報モニタにより測定された複数の患者の生体情報を表示するための表示手段と、各患者ごとに、患者を特定するための個人情報と、患者のグループを特定するためのグループ特定情報とを対応付けて記憶するための記憶手段と、表示手段を制御するための制御手段とを備え、制御手段は、監視画面において、グループ特定情報に基づき特定される各患者のグループを識別可能にした状態で、複数の患者についての生体情報を同時に表示する。
【００１１】
好ましくは、記憶手段は、複数の患者のうちの少なくとも一人の患者についての第１のコメントをさらに記憶し、制御手段は、監視画面において、複数の患者についての生体情報とともに第１のコメントを表示する。
【００１２】
好ましくは、制御手段は、監視画面における、少なくとも一人の患者の生体情報の表示領域に、第１のコメントが登録されていることを示す所定のマークを表示し、かつ、所定のマークが選択された場合に、監視画面上に第１のコメントを表示する。
【００１３】
好ましくは、前記制御手段は、前記第１のコメントを表示してから一定時間経過したと判断した場合に、前記第１のコメントの表示を消去する。
【００１４】
好ましくは、測定された生体情報の変化に応じて、警報を発生するための手段をさらに備え、制御手段は、複数の患者のうち、警報の発生に起因した患者についての第１のコメントを、監視画面に表示する。
【００１５】
好ましくは、制御手段は、少なくとも看護チームによる分類を含む、予め定められた複数種類の分類のうち、グループ特定情報による患者のグループ分けに用いる分類の選択を受付ける。
【００１６】
好ましくは、複数種類の分類は、さらに、患者の属性による分類、および、患者の病態による分類のうちの少なくともいずれかを含む。
【００１７】
好ましくは、制御手段は、さらに、監視画面における、患者ごとの表示エリア内に表示された複数種類の生体情報のうちの１つが指定された場合に、指定された生体情報についての第２のコメントの入力を受付け、かつ、第２のコメントが入力された場合には、指定された生体情報に関連する位置に、特定のマークを表示し、ユーザにより特定のマークが指示された場合に、第２のコメントを監視画面上に表示する。
【００１８】
なお、記憶手段は、第１のコメントと対応付けて、第１のコメントが入力された日時を記憶し、制御手段は、第１のコメントが入力された日時から一定時間経過したと判断した場合には、第１のコメントを記憶手段から消去するか否かをユーザに選択させてもよい。
【００１９】
この発明の他の局面に従う看護支援プログラムは、制御部と記憶部と表示部とを備えた、複数の患者の生体情報を監視するための生体情報監視装置において、複数の患者の看護を支援するための実行されるプログラムであって、記憶部は、各患者ごとに、患者を特定するための個人情報と、患者のグループを特定するためのグループ特定情報とを対応付けて記憶しており、制御部が、監視画面の表示の指示を受付けるステップと、制御部が、指示が受付けられた場合に、監視画面において、グループ特定情報に基づき特定される各患者のグループを識別可能にした状態で、複数の患者についての生体情報を、表示部に表示するステップとを含む。
【発明の効果】
【００２０】
本発明によると、監視画面（基本画面）において、各患者のグループが識別可能にされた状態で、複数の患者についての生体情報が同時に表示される。そのため、ナースステーション内にいる看護師は、監視画面上に表示された患者の名前で、各患者がどのグループであるかを確認する作業が不要になる。したがって、本発明によると、ナースステーション内の看護師の業務を支援することができる。
【図面の簡単な説明】
【００２１】
【図１】本発明の実施の形態１における看護支援システムの概略の構成例を示す図である。
【図２】本発明の実施の形態１におけるモニタ（生体情報モニタ）の構成例を示すブロック図である。
【図３】本発明の実施の形態１における監視装置（生体情報監視装置）の構成例を示すブロック図である。
【図４】本発明の実施の形態１における監視装置の基本画面（監視画面）の一例を示す図である。
【図５】本発明の実施の形態１における監視装置の登録画面の一例を示す図である。
【図６】本発明の実施の形態１における患者管理データのデータ構造の一例を示す図である。
【図７】本発明の実施の形態１における監視装置が実行する基本画面表示処理を示すフローチャートである。
【図８】本発明の実施の形態１における監視装置が実行するコメント表示処理を示すフローチャートである。
【図９】図８のステップＳ１０６で表示される画面例を示す図である。
【図１０】本発明の実施の形態１の変形例１におけるコメント表示処理を示すフローチャートである。
【図１１】本発明の実施の形態２における基本画面の一例を示す図である。
【図１２】本発明の実施の形態２におけるバイタルコメント管理データのデータ構造例を示す図である。
【発明を実施するための形態】
【００２２】
本発明の実施の形態について図面を参照しながら詳細に説明する。なお、図中同一または相当部分には同一符号を付してその説明は繰返さない。
【００２３】
［実施の形態１］
＜構成例について＞
（看護支援システム）
図１は、本発明の実施の形態１における看護支援システムの概略の構成例を示す図である。
【００２４】
患者支援システムは、複数の生体情報モニタ（以下「モニタ」と略す）１０と、生体情報監視装置（以下「監視装置」と略す）２０とを含む。複数のモニタ１０と監視装置２０とは、有線または無線にて接続される。
【００２５】
モニタ１０は、ベッド毎に設けられ、各患者の生体情報を測定する。モニタ１０の前面には、測定した生体情報を表示するための表示部１０２と、音声を出力するためのスピーカ１０４と、ユーザ（看護師などの医療従事者）からの指示を受付けるための操作ボタン１０６ａが設けられる。表示部１０２は、たとえばＬＣＤ（Liquid Crystal Display）などにより実現される。
【００２６】
「生体情報」とは、生体に関する情報であり、具体的には、心電図、心拍数、血圧（最高血圧値および／または最低血圧値など）および酸素飽和度など、複数種類の特性情報を含む。生体情報は、さらに、体温および呼吸（呼気あるいは吸気中の二酸化炭素濃度等）などの特性情報を含んでもよい。
【００２７】
監視装置２０は、モニタ１０にて測定された複数の患者の生体情報を監視する。監視装置２０は、セントラルモニタとも称され、通常、ナースステーションに設けられる。
【００２８】
監視装置２０の前面には、複数のモニタ１０にて測定された生体情報などを表示するための表示部２０２と、音声を出力するためのスピーカ２０４と、ユーザ（看護師などの医療従事者）からの指示を受付けるための操作ボタン２０６ａとが設けられる。表示部２０２は、指示入力部としても機能してもよく、たとえばタッチパネルにより実現されてもよい。
【００２９】
（モニタ）
図２は、本発明の実施の形態１におけるモニタ１０の構成例を示すブロック図である。
【００３０】
図２を参照して、モニタ１０は、上記構成に加え、装置全体の制御および各種演算処理を行なうための制御部１０１と、警報を発するための警報部１０３と、計時動作を行なうための計時部１０５と、操作ボタン１０６ａを含む操作部１０６と、計測結果やプログラム等を記憶するための記憶部１０７と、監視装置２０と通信するための通信Ｉ／Ｆ（インターフェイス）１０８と、電源部１０９と、生体情報計測部１１０と、プリンタ１１１とを含む。
【００３１】
制御部１０１は、操作部１０６から入力される操作信号に基づいて記憶部１０７に記憶されているプログラムを読み出して実行し、それに伴って制御信号を生成して各部に出力することによって、全体を制御する。制御部１０１は、たとえばＣＰＵ（Central Processing Unit）によって構成される。
【００３２】
生体情報計測部１１０は、血圧を計測するための血圧計測部２１、酸素飽和度を計測するための酸素飽和度計測部２２、心電図を計測するための心電計測部２３、体温を計測するための体温計測部２４、および患者の呼吸中の特定成分の濃度を計測するための呼吸計測部２５を含む。なお、これら計測部の具体的な構成は、公知の構成であってよい。生体情報計測部１１０は、制御部１０１からの制御信号に従って、上記計測部のうち指定された計測部において生体情報を計測し、計測結果を制御部１０１に入力する。
【００３３】
また、制御部１０１は、生体情報（各特性情報）が予め定められた異常値であるか否かを判定し、異常値であると判定した場合には、スピーカ１０４から警報音を出力するとともに、警報部１０３を構成するランプを発光させるよう制御する。ただし、このスピーカ１０４から警報音出力は、ベットサイドに医療従事者等がいる場合を除いて、通常は、操作部１０６の操作によって停止させられている。
【００３４】
（監視装置）
図３は、本発明の実施の形態１における監視装置２０の構成例を示すブロック図である。監視装置２０は、たとえば一般的なパーソナルコンピュータであってよい。
【００３５】
図３を参照して、監視装置２０は、上記構成に加え、装置全体の制御および各種演算処理を行なうための制御部２０１と、警報を発するための警報部２０３と、計時動作を行なうための計時部２０５と、操作ボタン２０６ａを含む操作部２０６と、計測結果やプログラム等を記憶するための記憶部２０７と、モニタ１０と通信するための通信Ｉ／Ｆ２０８と、電源部２０９と、プリンタ２１１と、外部よりデータの入力を受付けるためのデータ入出力部２１５とを含む。
【００３６】
制御部２０１は、操作部２０６から入力される操作信号に基づいて記憶部２０７に記憶されているプログラムを読み出して実行し、それに伴って制御信号を生成して各部に出力することによって、全体を制御する。制御部２０１も、モニタ１０と同様、たとえばＣＰＵによって構成される。
【００３７】
警報部２０３は、たとえば光を発するランプにより構成される。警報部１０３は、ＬＥＤ（Light Emitting Diode）によって構成されてもよい。
【００３８】
制御部２０１は、モニタ１０より、生体情報（各特性情報）が異常値であることを示す信号が入力されると、スピーカ２０４から警報音を出力するとともに、警報部２０３を構成するランプを発光させるよう制御する。
【００３９】
記憶部２０７は、データ保存用に設けた不揮発性の記憶媒体、たとえばシリコンディスク（半導体素子で構成されたメモリ）を含む。
【００４０】
プリンタ２１１は、制御部２０１によって制御されて、生体情報の測定結果などを紙媒体に印刷する。
【００４１】
データ入出力部２１５は、たとえば、着脱可能な記録媒体２１５ａからプログラムやデータを読み出したり書き込んだりする。また／または、データ入出力部２１５は、外部の図示しないコンピュータから通信回線を介してプログラムやデータの送受信ができてもよい。
【００４２】
＜監視装置の機能について＞
本実施の形態において、監視装置２０の記憶部２０７は、患者ごとに、グループ特定情報と各患者についてのコメント（以下「患者コメント」という）とを記憶する。これらの情報は、ユーザによる登録処理によって記憶部２０７に記憶される。登録処理、および、患者管理データのデータ構造については後述するが、各情報の概要を説明する。なお、患者コメントは、各患者に必須でなくてもよい。
【００４３】
「グループ特定情報」とは、患者のグループを特定するための情報である。患者のグループは、たとえば、看護チームにより分類される。その場合、グループ特定情報により、各患者がどの看護チームに担当されているかが特定される。なお、患者のグループは、看護チームによる分類に限定されず、患者の属性（年齢，性別）による分類、または、患者の病態（症状，病状）による分類などが採用されてもよい。
【００４４】
「患者コメント」は、対応の患者に対し注意すべき事項として入力されたテキストデータを示す。
【００４５】
制御部２０１は、表示部２０２を制御する。制御部２０１は、通常、監視モードで動作している。個人情報などの登録処理中は、登録モードとして動作する。
【００４６】
制御部２０１は、監視モードでは、複数の患者についての生体情報を、同時にかつ全画面にわたって大きく表示する。監視モード時に表示される画面である監視画面は、「基本画面」ともいわれる。
【００４７】
本実施の形態では、制御部２０１は、基本画面において、上記グループ特定情報に基づき特定される各患者のグループを識別可能に表示する。
【００４８】
図４は、本発明の実施の形態１における監視装置２０の基本画面の一例を示す図である。監視装置２０は、４つのモニタ１０と接続されているものと仮定する。
【００４９】
図４を参照して、基本画面では、表示部２０２の４つの表示領域４１〜４４それぞれに、４つのモニタ１０での生体情報の測定結果が表示されている。
【００５０】
各表示領域４１〜４４には、患者（モニタ１０）を識別するための個人番号を示した領域５１、および、患者の氏名５２が表示される。また、各表示領域４１〜４４は、心電波形などの波形を表示可能な波形領域５３、測定結果を数値で表示する数値領域５４を含む。波形領域５３には、アラーム（警報）が発生した場合にアラーム内容を示す情報を表示するためのメッセージ領域５５が含まれる。
【００５１】
本実施の形態では、個人番号を示した領域５１の近傍に設けられた領域６１が、対応する患者のグループに応じた色で表示されている。これにより、基本画面を見た看護師は、どの患者が自分の受け持ちの患者であるかを、直感的に把握することができる。
【００５２】
図４では、表示領域４２において、所定のマークで示されたアイコン６３が表示されている。アイコン６３は、対応の患者（個人番号‘２’の患者）について患者コメントが登録されている場合に表示される。したがって、アイコン６３が表示されていれば、看護師は、基本画面を別画面に切替えなくても、対応の患者についてコメントが存在することを知ることができる。
【００５３】
本実施の形態では、基本画面は、「全ベッド」と示されたタグＴＧ１が選択されている場合に表示される。入床時の登録画面や個人設定画面などは、個人番号「１」〜「４」が示されたタグＴＧ２のいずれかが選択されている場合に表示される。
【００５４】
＜動作について＞
本実施の形態における監視装置２０の動作について、画面例を参照しながら説明する。
【００５５】
（登録処理）
ここでは、少なくとも図４に示した基本画面の表示に必要となる情報の登録処理について説明する。
【００５６】
制御部２０１は、図４に示した基本画面において、個人番号のタグＴＧ２が選択されると、制御部２０１は、表示部２０２に表示する画面を登録画面に切替える。登録画面を表示している際に、制御部２０１は、患者の個人情報の入力を受付ける。また、その患者の看護チームに割り当てられた色の選択、および、患者コメントの入力を受付ける。これらの入力が終わると、制御部２０１は、入力された各情報を対応付けて、対応する患者の管理データとして登録する。
【００５７】
図５は、本発明の実施の形態１における監視装置２０の登録画面の一例を示す図である。
【００５８】
図５を参照して、登録画面では、個人情報の登録に関して、患者名を入力するための欄７１、患者ＩＤを入力するための欄７２、部屋番号を入力するための欄７３、生年月日を入力するための欄７４、性別を選択するためのボタン７５ａ，７５ｂ、および、その患者の使用しているモニタ１０を識別するためのボタン群７６が設けられている。
【００５９】
登録画面では、さらに、グループ特定情報の登録に関して、複数のグループ色を選択するためのボタンＣ１〜Ｃ６、および、グループ色の設定を除外するためのボタンＣ７が設けられている。たとえば、ボタンＣ１〜Ｃ６は、それぞれ、白、ピンク、オレンジ、黄色、緑、水色を示しているものとする。なお、各色に対応する看護チーム名を事前に登録しておき、登録画面上において、各色と看護チーム名とを関連付けて表示することとしてもよい。これにより、看護師が誤った色を選択してしまうことを防止することができる。
【００６０】
登録画面では、さらに、患者コメントの入力に関して、患者に対し注意すべき事項を入力するための注意メモ欄７７が設けられている。患者コメントとしては、たとえば、「感染症あり」、「不整脈が多発する場合は○○先生に連絡」、「痴呆症患者、ベッド転落の危険性あり」などが考えられる。
【００６１】
当該登録画面は、たとえば、患者が入床の際に表示される。入床のボタン７８が指示されると、登録画面上で入力された情報が登録される。退床の際には、たとえば、ボタン７８を（たとえば３秒以上）長押しすることで、対応する患者に関して登録された情報が消去される。
【００６２】
本実施の形態では、コメントを直接入力する形態としたが、予め定められた複数のコメントから選択するような形態であってもよい。つまり、予め、記憶部１０７に複数の定型コメントの文章がデータベースとして記憶されており、記憶された複数の定型コメントから１つまたは複数のコメントが選択されてもよい。
【００６３】
また、患者コメントおよび／または個人情報は、ユーザ入力や選択によらず、接続されている図示しない外部のデータベース（電子カルテや病院内のシステムなど）から取得することもできる。その場合、取得された情報がそのまま登録画面に表示されてもよい。
【００６４】
図６は、本発明の実施の形態１における患者管理データＤ１０のデータ構造の一例を示す図である。患者管理データＤ１０は、たとえば、記憶部２０７に格納される。
【００６５】
図６を参照して、各患者管理データＤ１０は、４つの項目すなわち、個人番号の項目３０１と、個人情報の項目３０２と、グループ色の項目３０３と、患者コメントの項目３０４とを含む。
【００６６】
個人番号の項目３０１には、個人番号１〜４のいずれが記録される。
個人情報の項目３０２には、図５の登録画面において入力される情報のうち、患者名、患者ＩＤ、部屋番号、生年月日および性別が格納される。当該項目３０２に、モニタの識別情報などがさらに格納されてもよい。グループ色の項目３０３は、図５の登録画面のボタンＣ１〜Ｃ７のうち選択されたボタンに対応する色の識別データが格納される。患者コメントの項目３０４には、図５の登録画面の注意メモ欄７７に入力されたテキストデータが格納される。
【００６７】
このように、個人番号と対応付けられて、個人情報、グループ色の識別データおよび患者コメントのデータが記憶部２０７に格納される。なお、患者管理データＤ１０には、病名、症状、重症度など病態に関する情報をさらに含めてもよい。
【００６８】
（基本画面表示処理）
図７は、本発明の実施の形態１における監視装置２０が実行する基本画面表示処理を示すフローチャートである。図７のフローチャートに示す処理は、予めプログラムとして記憶部２０７に格納されており、制御部２０１がこのプログラムを読み出して実行することにより、基本画面表示処理の機能が実現される。
【００６９】
図７を参照して、制御部２０１は、図４に示した全ベッドのタグＴＧ１が選択されたか否かを判断する（ステップＳ２）。タグＴＧ１が選択されると（ステップＳ２においてＹＥＳ）、制御部２０１は、記憶部２０７に記録された各患者管理データＤ１０を読出す（ステップＳ４）。
【００７０】
制御部２０１は、読出した患者管理データＤ１０の項目３０３に格納されたグループ色の識別データに基づき各患者のグループ色を特定する（ステップＳ６）。
【００７１】
制御部２０１は、特定されたグループ色、および、複数の患者についての生体情報を同時に表示する（ステップＳ８）。つまり、画面上の領域６１を、特定されたグループ色にて表示することで、各患者のグループを特定可能にした状態で、複数の患者についての生体情報を同時に表示する。その結果、図４に示したような基本画面が表示される。
【００７２】
本実施の形態では、患者管理データＤ１０は、図６に示したような構成としたが、これらの情報が対応付けられていれば上記構成に限定されない。
【００７３】
基本画面において、グループごとの色の表示専用の領域６１は、個人番号を示す領域５１の近傍に設けることとしたが、表示位置は限定されない。ただし、患者と色との関連付けが明確となるよう、対応の患者の表示領域４１〜４４内に設けることが望ましい。
【００７４】
または、グループごとの色の表示専用の領域６１を設ける形態に限らず、たとえば、氏名５２の表示色を、グループごとの色としてもよい。
【００７５】
所定のマーク６３の表示位置も、図４に示した例に限定されないが、のマーク６３は、患者に関するコメントの存在を示すものであるので、氏名５２または個人番号を示す領域５１の近傍であることが望ましい。
【００７６】
（コメント表示処理）
上記登録処理によって登録された患者コメントの表示タイミングについて説明する。
【００７７】
図８は、本発明の実施の形態１における監視装置２０が実行するコメント表示処理を示すフローチャートである。図８のフローチャートに示す処理もまた、予めプログラムとして記憶部２０７に格納されており、制御部２０１がこのプログラムを読み出して実行することにより、コメント表示処理の機能が実現される。
【００７８】
図８を参照して、制御部２０１は、図４に示した基本画面において、アイコン６３が選択（指示）されたか否かを判断する（ステップＳ１０２）。表示部２０２は操作部を兼ねたタッチパネルで構成されるため、アイコン６３の選択は、看護師の指で行なわれてよい。アイコン６３が選択されるまで待機する（ステップＳ１０２にてＮＯ）。
【００７９】
アイコン６３が選択されると（ステップＳ１０２にてＹＥＳ）、制御部２０１は、選択されたアイコン６３の位置より、患者の個人番号を特定する（ステップＳ１０４）。たとえば、記憶部２０７には、アイコン６３の位置データと、対応する患者の個人番号とが対応付けられている。したがって、制御部２０１は、アイコン６３が選択された位置より、個人番号が特定できる。
【００８０】
次に、制御部２０１は、特定された患者の個人番号に対応するコメント（患者コメント）を表示部２０２の所定の位置に表示する（ステップＳ１０６）。具体的には、記憶部２０７に記憶された複数の患者管理データＤ１０（図６）のうち、特定された個人番号で管理されている患者管理データＤ１０を検索する。そして、検索された患者管理データＤ１０内の患者コメントの項目３０４からテキストデータを読み出し、読み出したテキストデータを表示部２０２に表示する。
【００８１】
図９は、図８のステップＳ１０６で表示される画面例を示す図である。
図９を参照して、表示領域４２内のアイコン６３が指示されると、画面が切替えられることなく、基本画面上に、ポップアップ画面９０が表示される。ポップアップ画面９０には、指示されたアイコン６３の位置より特定された個人番号と、注意メモとして「感染症あり」というコメントとが含まれる。
【００８２】
図９のポップアップ画面９０における「閉じる」と示されたボタンが指示されると、この画面９０が閉じられる。「個人設定画面へ」と示されたボタンが指示されると、個人番号‘２’で特定される患者の個人設定画面に表示画面が切替えられる。個人設定画面は、図５に示した入床の際の登録画面と同様であってよい。
【００８３】
なお、ポップアップ画面９０は、一定時間経過後に自動で閉じるようになっていてもよい。つまり、制御部２０１は、計時部２０５が計時する現在日時に基づいて、ポップアップ画面９０を表示してから所定時間（たとえば３０秒）経過したか否かを判断し、所定時間経過したと判断した場合に、ポップアップ画面９０（つまり、患者コメント）を消去してもよい。このようにすることで、多忙なユーザ（看護師）の手間を減らすことができ、その結果、看護師の業務をより十分に支援することが可能となる。
【００８４】
従来のセントラルモニタでは、表示画面を、監視モード時に対応の監視画面（基本画面）から他の画面（個人設定画面など）に切替えてはじめて、患者に対するコメントがあること、および、コメントの内容を知ることができた。そのため、従来のセントラルモニタでは、患者に対するコメントを付箋に書き、その付箋をセントラルモニタの画面枠などに貼りつける、ということが慣習的に行なわれていた。
【００８５】
これに対し、本実施の形態では、看護師は、基本画面上のアイコン６３により、対応の患者には注意メモ（コメント）が登録されていることを知ることができる。また、アイコン６３を指示するだけで、基本画面上のポップアップ画面９０に、対象の患者に対するコメント（患者コメント）が表示される。したがって、看護師は、わざわざ表示画面を、基本画面から個人設定の画面に切替えなくても、その患者についての注意メモを見ることができる。その結果、従来、看護師がマニュアルで行なっていた付箋の機能を、本実施の形態の監視装置２０はアイコン６３によって実現することができる。
【００８６】
本実施の形態では、通常は、アイコン６３により患者コメントの存在を知らせるだけである。したがって、患者コメントをメッセージ領域５５に常に表示しておく形態に比べて、邪魔にならずに済む。また、看護師は、領域６１の色によって、自分の受け持ちが分かるため、自分の受け持ちの患者のコメントだけを選択的に見ることもできる。
【００８７】
なお、患者コメントの入力／変更から一定時間（たとえば２日）経過すれば、患者管理データＤ１０から患者コメントのデータを自動的に消去することとしてもよい。この場合、たとえば、患者管理データＤ１０の項目３０４（図６）において、患者コメントのテキストデータと対応付けて、その患者コメントが入力（変更を含む）された日時を格納しておく。そして、計時部２０５が計時する現在日時が、項目３０４に記録された日時から所定時間経過したと判断した場合に、患者コメントを消去する。または、自動的に消去するのではなく、消去してもよいか否かをユーザに選択させてもよい。つまり、現在日時が、項目３０４に記録された日時から所定時間経過したと判断した場合に、消去対象の患者コメントと、その患者コメントと対応付けて記憶されていた日時（患者コメントが入力された日時）とを基本画面上に表示する。その状態で、表示中の患者コメントを、消去してもよいか否かをユーザに選択させてもよい。このようにすることで、いつまでも、古いコメント（適切でないコメント）が、患者に対する注意事項として表示されることを防止することができる。
【００８８】
＜変形例１＞
上記実施の形態１では、看護師が基本画面上のアイコン（マーク６３）を指示した場合に、基本画面上で患者コメントが見られるようにしたが、基本画面上で見られれば、このようなタイミングに限定されない。
【００８９】
監視装置２０は、いずれかの患者の生体情報の異常が検出されれば、アラーム（警報）を発生させる機能を有している。したがって、アイコン選択のタイミングに代えて／加えて、アラーム発生のタイミングで患者コメントを表示してもよい。
【００９０】
図１０は、本発明の実施の形態１の変形例１におけるコメント表示処理を示すフローチャートである。図１０のフローチャートに示す処理もまた、予めプログラムとして記憶部２０７に格納されており、制御部２０１がこのプログラムを読み出して実行することにより、コメント表示処理の機能が実現される。
【００９１】
図１０を参照して、制御部２０１は、アラームが発生したか否かを判断する（ステップＳ２０２）。アラームが発生するまで待機する（ステップＳ２０２にてＮＯ）。なお、生体情報の異常を検出する機能およびアラームを発生させる機能は公知であるので、詳細な説明は省略する。
【００９２】
アラームが発生すると、制御部２０１は、アラーム対象の生体情報が測定された患者の個人番号を特定する（ステップＳ２０４）。
【００９３】
個人番号が特定されると、図８と同様に、制御部２０１は、特定された患者の個人番号に対応するコメント（患者コメント）を表示部２０２の所定の位置に表示する（ステップＳ２０６）。
【００９４】
以上のように、本変形例によると、アラームが発生した場合に、注意すべき患者のコメントが自動的に表示される。そのため、看護師は、患者コメントを表示させるための操作（マーク６３の選択）をしなくても、注目すべき患者のコメントを見ることができる。その結果、注目すべき患者の処置などを素早くかつ適切に行なうことができる。
【００９５】
また、患者コメントは、上記のような表示タイミングに代えて／加え、看護師の交代時に表示してもよい。
【００９６】
看護師は、３交代制であり、決まった時間で入れ替わる。そのため、看護師が入れ替わる時間になったことを検知した場合に、図９に示したようなポップアップ画面を表示してもよい。つまり、事前に、８時間ごとに患者コメントを表示するよう設定しておき、図示しない計時部からの信号に基づいて、８時間が経過する度に、患者コメントを表示してもよい。
【００９７】
＜変形例２＞
上記実施の形態１では、患者のグループは、看護チームにより決定されることとた。看護チームの分け方は、病院により異なることもあるため、どの看護チームがどの色に対応しているかは、監視装置２０の近傍に紙で示しておくか、記憶部２０７に看護チーム名と色との対応関係を登録する必要があった。
【００９８】
しかし、患者のグループ分けに、患者の属性による分類、あるいは、患者の病態による分類を使用する場合には、予め、属性または病態と、色との対応関係を定めておいてもよい。そのようにすることで、図５に示したような登録画面において、各色がどの属性または病態に対応しているかを固定的に表示することもできる。
【００９９】
または、患者の属性をグループ分けに使う場合には、生年月日および／または性別が入力された時点で、自動的に色を割り当ててもよい。このような場合、看護師が患者ごとに色の選択をしなくても、適切に患者をグループ分けすることができる。
【０１００】
登録画面または個人設定画面に、「手術直後」、「透析患者」などといった病態の選択も可能にしておいてもよい。その場合、病態による患者のグループ分けも、自動的に行なうことができる。
【０１０１】
同様に、ユーザの操作によって、看護チーム名と色との対応関係を、記憶部２０７に登録しておく場合には、看護チームによる患者のグループ分けも自動的に行なうことができる。つまり、登録画面または個人設定画面に、看護チームの選択を可能にしておき、看護チームの選択がされると、対応の患者には、選択された看護チームに対応する色が割り当てられてもよい。
【０１０２】
＜変形例３＞
変形例２のように自動的に色が割り当てられる場合には、色によるグループ分けに使う種類を、ユーザ（看護師）が選択できてもよい。つまり、看護チームによる分類、患者の属性による分類、患者の病態による分類のうち、いずれか一つを選択できてもよい。このような選択自体も、基本画面上でできるようにしてもよい。
【０１０３】
上記実施の形態１では、各患者管理データＤ１０に、グループ特定情報として、色の識別データが含まれた。しかし、この例では、各患者管理データに、グループ特定情報として、病態のデータ、および、看護チームのデータが含まれればよい。なお、本変形例の場合、記憶部２０７には、看護チーム、属性（年齢，性別）および病態の各々が、色と対応付けられて記憶されているものとする。
【０１０４】
グループ分けに使う種類がユーザにより選択されると、選択された種類に対応するデータ（看護チーム、属性および病態のいずれか）を各患者管理データより読み出し、読み出したデータと対応付けられている色を特定する。色が特定されると、制御部２０１は、図４に示したような基本画面の領域６１に、患者ごとに特定された色を表示することができる。
【０１０５】
このように、本変形例によると、状況に応じてグループ分けの種類を変更することができる。つまり、看護師は、監視中の複数の患者それぞれの看護チームを知りたい場合は、看護チームによる分類を選択し、各患者の病態を知りたい場合は、病態による分類を選択すればよい。したがって、本変形例によると、看護師は、より効率的に複数の患者の看護業務を行なうことができる。
【０１０６】
＜変形例４＞
上記実施の形態１では、患者コメントを入力または変更する際には、基本画面を別画面に切替えるものとした。しかしながら、基本画面の所定の位置（たとえば、表示領域４４の下部）に、患者コメント入力のためのボタン（図示せず）を表示し、当該ボタンの選択を受付けると、コメント入力のためのポップアップ画面を基本画面上に表示することとしてもよい。コメント入力のためのポップアップ画面の位置は、たとえば、図９のポップアップ画面９０と同様に、基本画面の中央であってもよい。なお、いずれのポップアップ画面も、画面中央の位置に限定されない。
【０１０７】
このようにすることで、画面を切替えなくても患者コメントの入力ができるため、画面切替えの煩わしさが軽減される。その結果、各患者について最新の注意メモがコメントとして登録される可能性が高くなり、より適切な看護業務を行なうことが可能になる。
【０１０８】
［実施の形態２］
上記実施の形態１では、患者コメントを基本画面で表示できるような例を示したが、本実施の形態では、さらに、各生体情報のコメントの入力および表示を基本画面上で行なう。
【０１０９】
なお、本実施の形態における監視装置の構成および基本的な動作は実施の形態１と同様である。したがって、以下に実施の形態１と異なる部分のみ説明する。
【０１１０】
図１１は、本発明の実施の形態２における基本画面の一例を示す図である。
図１１を参照して、本実施の形態では、バイタルコメント入力のためのボタン６５が基本画面の所定の位置（たとえば、表示領域４４の下部）に表示される。制御部２０１は、当該ボタン６５の選択が受付けられると、次に、表示領域４１〜４４のうちどの位置が指定されたかを検出する。たとえば、個人番号１の表示領域４１における数値領域５４の心拍数（ＨＲ）が表示された位置が指定されたとする。そうすると、指定された位置の座標情報により、対象となる個人番号および生体情報の種類が特定される。
【０１１１】
個人番号および生体情報の種類が特定されると、バイタルコメントの入力画面が表示される。このようなバイタルコメントの入力画面も、変形例４と同様のポップアップ画面で行なわれてよい。
【０１１２】
ポップアップ画面には、たとえば、特定された個人番号と、生体情報の種類（心拍数）とが表示される。
【０１１３】
図１２は、本発明の実施の形態２におけるバイタルコメント管理データＤ２０のデータ構造例を示す図である。バイタルコメント管理データＤ２０は、たとえば、記憶部２０７に格納される。
【０１１４】
図１２を参照して、各バイタルコメント管理データＤ２０は、個人番号の項目４０１と、バイタル位置情報の項目４０２とを含む。
【０１１５】
個人番号の項目４０１には、個人番号１〜４のいずれが記録される。
バイタル位置情報の項目４０２には、各生体情報と対応付けて、座標データ、および、バイタルコメントとして入力されたテキストデータが格納される。これにより、各生体情報の表示位置とバイタルコメントとが対応付けられて記憶される。
【０１１６】
再び図１１を参照して、上記のようなバイタルコメント管理データＤ２０が格納されるため、バイタルコメントが入力されると、基本画面では、所定のマーク６７が表示される。本実施の形態では、患者コメントのマーク６３とバイタルコメントのマーク６７とを同一としたが限定的ではない。
【０１１７】
マーク６７は、たとえば、コメント入力のときに指定された位置に表示されてもよいし、特定された生体情報の数値が隠れないように、各数値の表示領域ごとに予め定められた位置に表示されてもよい。
【０１１８】
監視装置２０において、各表示領域４１〜４４内で、生体情報の表示位置が変更されることがある。本実施の形態によると、生体情報の種類とバイタルコメントとが対応付けられて記憶されているため、生体情報の表示位置が変わったとしても、変更後の表示位置に追従してマーク６３を表示することができる。
【０１１９】
なお、マーク６３が選択された場合には、対象の患者の個人番号、生体情報の種類、および、その生体情報に対するコメントが表示される。また、図９に示したポップアップ画面９０と同様に、「閉じる」と示されたボタン、および、「個人設定画面へ」と示されたボタンが表示されてもよい。
【０１２０】
上記各実施の形態および各変形例では、患者のグループを色によって識別することとしたが、たとえば、文字、記号あるいは図形によって識別することとしてもよい。
【０１２１】
なお、各実施の形態および各変形例を組み合わせてもよい。
また、本発明の各実施の形態および各変形例に係る監視装置２０が行なう、看護支援方法を、プログラムとして提供することもできる。このようなプログラムは、当該プログラムをコンピュータが読取可能な一時的でない（non-transitory）記録媒体に記録される。このような「コンピュータ読取可能な記録媒体」は、たとえば、ＣＤ−ＲＯＭ（Compact Disc-ROM）などの光学媒体や、メモリカードなどの磁気記録媒体などを含む。また、このようなプログラムをコンピュータ読み取り可能な記録媒体に記録させて、プログラム製品として提供することもできる。また、ネットワークを介したダウンロードによって、プログラムを提供することもできる。
【０１２２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１２３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１２４】
提供されるプログラム製品は、ハードディスクなどのプログラム格納部にインストールされて実行される。なお、プログラム製品は、プログラム自体と、プログラムが記憶された記憶媒体とを含む。
【０１２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２６】
１０  モニタ、２０  監視装置、２１  血圧計測部、２２  酸素飽和度計測部、２３  心電計測部、２４  体温計測部、２５  呼吸計測部、１０１，２０１  制御部、１０２，２０２  表示部、１０３，２０３  警報部、１０４，２０４  スピーカ、１０５，２０５  計時部、１０６，２０６  操作部、１０６ａ，２０６ａ  操作ボタン、１０７，２０７  記憶部、１０８，２０８  通信Ｉ／Ｆ、１０９，２０９  電源部、１１０  生体情報計測部、１１１，２１１  プリンタ、２１５  データ入出力部。
【図１】
2011078640.tif 000003
【図２】
2011078640.tif 000004
【図３】
2011078640.tif 000005
【図４】
2011078640.tif 000006
【図５】
2011078640.tif 000007
【図６】
2011078640.tif 000008
【図７】
2011078640.tif 000009
【図８】
2011078640.tif 000010
【図９】
2011078640.tif 000011
【図１０】
2011078640.tif 000012
【図１１】
2011078640.tif 000013
【図１２】
2011078640.tif 000014